(57)【要約】【課題】撮影部が撮影する原画像に電子透かしを挿入しなくても、電子透かしを検出できるようにする。【解決手段】原画像に電子透かしを挿入して電子透かし入り画像を生成する電子透かし挿入手段１０１、原画像を印刷する１０３印刷手段、印刷された原画像を撮影する１０７撮影手段、撮影された原画像を送信する１０９送信手段、送信手段により送信された原画像を受信する受信手段１１１、電子透かし入り画像と受信手段により受信された原画像を基に、電子透かし入り画像に挿入されている電子透かしを検出する電子透かし検出手段１１３を備える。【選択図】        図１
2004274239.tif 000002
【特許請求の範囲】
【請求項１】
原画像に電子透かしを挿入して電子透かし入り画像を生成する電子透かし挿入手段と、
前記原画像を印刷する印刷手段と、
印刷された前記原画像を撮影する撮影手段と、
撮影された前記原画像を送信する送信手段と、
前記送信手段により送信された前記原画像を受信する受信手段と、
前記電子透かし入り画像と前記受信手段により受信された前記原画像を基に、前記電子透かし入り画像に挿入されている前記電子透かしを検出する電子透かし検出手段と、
を備えることを特徴とする電子透かし検出システム。
【請求項２】
原画像に電子透かしを挿入して電子透かし入り画像を生成する電子透かし挿入手段と、
前記原画像に基準信号を挿入して基準信号入り画像を生成する基準信号挿入手段と、
前記基準信号入り画像を印刷する印刷手段と、
印刷された前記基準信号入り画像を撮影する撮影手段と、
撮影された前記基準信号入り画像を送信する送信手段と、
前記送信手段により送信された前記基準信号入り原画像を受信する受信手段と、
前記電子透かし入り画像と前記受信手段により受信された前記基準信号入り画像を基に、前記電子透かし入り画像に挿入されている前記電子透かしを検出する電子透かし検出手段と、
を備えることを特徴とする電子透かし検出システム。
【請求項３】
請求項１又は２に記載の電子透かし検出システムの各手段と、前記電子透かし検出手段により検出された電子透かしを付加情報として送信する第２の送信手段とを備えることを特徴とする付加情報提供システム。
【請求項４】
請求項１又は２に記載の電子透かし検出システムの各手段と、前記電子透かし検出手段により検出された電子透かしに対応する付加情報を送信する第２の送信手段とを備えることを特徴とする付加情報提供システム。
【請求項５】
原画像に電子透かしを挿入して電子透かし入り画像を生成する電子透かし挿入ステップと、
前記原画像を印刷する印刷ステップと、
印刷された前記原画像を撮影する撮影ステップと、
撮影された前記原画像を送信する送信ステップと、
前記送信ステップで送信された前記原画像を受信する受信ステップと、
前記電子透かし入り画像と前記受信ステップで受信された前記原画像を基に、前記電子透かし入り画像に挿入されている前記電子透かしを検出する電子透かし検出ステップと、
を有することを特徴とする電子透かし検出方法。
【請求項６】
原画像に電子透かしを挿入して電子透かし入り画像を生成する電子透かし挿入ステップと、
前記原画像に基準信号を挿入して基準信号入り画像を生成する基準信号挿入ステップと、
前記基準信号入り画像を印刷する印刷ステップと、
印刷された前記基準信号入り画像を撮影する撮影ステップと、
撮影された前記基準信号入り画像を送信する送信ステップと、
前記送信ステップで送信された前記基準信号入り原画像を受信する受信ステップと、
前記電子透かし入り画像と前記受信ステップで受信された前記基準信号入り画像を基に、前記電子透かし入り画像に挿入されている前記電子透かしを検出する電子透かし検出ステップと、
を有することを特徴とする電子透かし検出方法。
【請求項７】
請求項５又は６に記載の電子透かし検出方法の各ステップと、前記電子透かし検出ステップで検出された電子透かしを付加情報として送信する第２の送信ステップとを有することを特徴とする付加情報提供方法。
【請求項８】
請求項５又は６に記載の電子透かし検出方法の各ステップと、前記電子透かし検出ステップで検出された電子透かしに対応する付加情報を送信する第２の送信ステップとを有することを特徴とする付加情報提供方法。
【請求項９】
複数の電子透かし入り画像を記憶する記憶手段と、
携帯端末より送られてきた画像と前記複数の電子透かし入り画像とを基に、前記複数の電子透かし入り画像のうちの前記携帯端末より送られてきた画像に対応する電子透かし入り画像から電子透かしを検出する電子透かし検出手段と、
を備えることを特徴とするサーバ。
【請求項１０】
複数の電子透かし入り画像を記憶する記憶手段と、
携帯端末より送られてきた基準信号入り画像を補正する補正手段と、
前記補正手段により補正された画像と前記複数の電子透かし入り画像とを基に、前記複数の電子透かし入り画像のうちの前記携帯端末より送られてきた前記基準信号入り画像に対応する電子透かし入り画像から電子透かしを検出する電子透かし検出手段と、
を備えることを特徴とするサーバ。
【請求項１１】
複数の電子透かし入り画像と各々が各電子透かし入り画像に対応した複数の識別子を関連付けて記憶する記憶手段と、
携帯端末より送られてきた画像と前記携帯端末より送られてきた識別情報に対応する前記電子透かし入り画像とを基に、前記携帯電話より送られてきた識別情報に対応する前記電子透かし入り画像から電子透かしを検出する電子透かし検出手段と、
を備えることを特徴とするサーバ。
【請求項１２】
複数の電子透かし入り画像と各々が各電子透かし入り画像に対応した複数の識別子を関連付けて記憶する記憶手段と、
携帯端末より送られてきた基準信号入り画像を補整する補正手段と、
前記補正手段により補正された画像と前記携帯端末より送られてきた識別情報に対応する前記電子透かし入り画像とを基に、前記携帯電話より送られてきた識別情報に対応する前記電子透かし入り画像から電子透かしを検出する電子透かし検出手段と、
を備えることを特徴とするサーバ。
【請求項１３】
請求項９乃至１２のいずれか１項に記載のサーバにおいて、
前記電子透かし検出手段により検出された電子透かしを付加情報として送信する送信手段を更に備えることを特徴とするサーバ。
【請求項１４】
請求項９乃至１２のいずれか１項に記載のサーバにおいて、
前記電子透かし検出手段により検出された電子透かしに対応する付加情報を送信する送信手段を更に備えることを特徴とするサーバ。
【請求項１５】
複数の電子透かし入り画像を記憶する記憶ステップと、
携帯端末より送られてきた画像と前記複数の電子透かし入り画像とを基に、前記複数の電子透かし入り画像のうちの前記携帯端末より送られてきた画像に対応する電子透かし入り画像から電子透かしを検出する電子透かし検出ステップと、
を有することを特徴とする電子透かし検出方法。
【請求項１６】
複数の電子透かし入り画像を記憶する記憶ステップと、
携帯端末より送られてきた基準信号入り画像を補正する補正ステップと、
前記補正手段により補正された画像と前記複数の電子透かし入り画像とを基に、前記複数の電子透かし入り画像のうちの前記携帯端末より送られてきた前記基準信号入り画像に対応する電子透かし入り画像から電子透かしを検出する電子透かし検出ステップと、
を有することを特徴とする電子透かし検出方法。
【請求項１７】
複数の電子透かし入り画像と各々が各電子透かし入り画像に対応した複数の識別子を関連付けて記憶する記憶ステップと、
携帯端末より送られてきた画像と前記携帯端末より送られてきた識別情報に対応する前記電子透かし入り画像とを基に、前記携帯電話より送られてきた識別情報に対応する前記電子透かし入り画像から電子透かしを検出する電子透かし検出ステップと、
を有することを特徴とする電子透かし検出方法。
【請求項１８】
複数の電子透かし入り画像と各々が各電子透かし入り画像に対応した複数の識別子を関連付けて記憶する記憶ステップと、
携帯端末より送られてきた基準信号入り画像を補整する補正ステップと、
前記補正手段により補正された画像と前記携帯端末より送られてきた識別情報に対応する前記電子透かし入り画像とを基に、前記携帯電話より送られてきた識別情報に対応する前記電子透かし入り画像から電子透かしを検出する電子透かし検出ステップと、
を有することを特徴とする電子透かし検出方法。
【請求項１９】
請求項１５乃至１８のいずれか１項に記載の電子透かし検出方法の各ステップと、前記電子透かし検出ステップで検出された電子透かしを付加情報として送信する送信ステップを有することを特徴とする付加情報提供方法。
【請求項２０】
請求項１５乃至１８のいずれか１項に記載の電子透かし検出方法の各ステップと、前記電子透かし検出ステップで検出された電子透かしに対応する付加情報を送信する送信ステップを有することを特徴とする付加情報提供方法。
【請求項２１】
複数の電子透かし入り画像を記憶する記憶ステップと、
携帯端末より送られてきた画像と前記複数の電子透かし入り画像とを基に、前記複数の電子透かし入り画像のうちの前記携帯端末より送られてきた画像に対応する電子透かし入り画像から電子透かしを検出する電子透かし検出ステップと、
を有することを特徴とする電子透かし検出方法をコンピュータに実行させるためのプログラム。
【請求項２２】
複数の電子透かし入り画像を記憶する記憶ステップと、
携帯端末より送られてきた基準信号入り画像を補正する補正ステップと、
前記補正手段により補正された画像と前記複数の電子透かし入り画像とを基に、前記複数の電子透かし入り画像のうちの前記携帯端末より送られてきた前記基準信号入り画像に対応する電子透かし入り画像から電子透かしを検出する電子透かし検出ステップと、
を有することを特徴とする電子透かし検出方法をコンピュータに実行させるためのプログラム。
【請求項２３】
複数の電子透かし入り画像と各々が各電子透かし入り画像に対応した複数の識別子を関連付けて記憶する記憶ステップと、
携帯端末より送られてきた画像と前記携帯端末より送られてきた識別情報に対応する前記電子透かし入り画像とを基に、前記携帯電話より送られてきた識別情報に対応する前記電子透かし入り画像から電子透かしを検出する電子透かし検出ステップと、
を有することを特徴とする電子透かし検出方法をコンピュータに実行させるためのプログラム。
【請求項２４】
複数の電子透かし入り画像と各々が各電子透かし入り画像に対応した複数の識別子を関連付けて記憶する記憶ステップと、
携帯端末より送られてきた基準信号入り画像を補整する補正ステップと、
前記補正手段により補正された画像と前記携帯端末より送られてきた識別情報に対応する前記電子透かし入り画像とを基に、前記携帯電話より送られてきた識別情報に対応する前記電子透かし入り画像から電子透かしを検出する電子透かし検出ステップと、
を有することを特徴とする電子透かし検出方法をコンピュータに実行させるためのプログラム。
【請求項２５】
請求項２１乃至２４のいずれか１項に記載のプログラムにおいて、
前記電子透かし検出ステップで検出された電子透かしを付加情報として送信する送信ステップを更にコンピュータに実行させるためのプログラム。
【請求項２６】
請求項２１乃至２４のいずれか１項に記載のプログラムにおいて、
前記電子透かし検出ステップで検出された電子透かしに対応した付加情報を送信する送信ステップを更にコンピュータに実行させるためのプログラム。
【発明の詳細な説明】
【０００１】
【発明の属する技術分野】
本発明は、電子透かしを検出するための電子透かし検出方法及びそのシステム、その電子透かし検出方法及びシステムを含む付加情報提供方法及びそのシステム並びにその電子透かし検出方法及び付加情報提供方法を行うためのサーバ及びプログラムに関する。
【０００２】
【従来の技術】
近年、携帯電話はＷＷＷブラウザの機能を有するようになってきたが、ユーザが所望のＷＷＷページにアクセスするためには、メニューを辿ったり、そのＷＷＷページのＵＲＬをキー入力しなければならない。
【０００３】
特に、書籍に掲載されている記事に関連したＷＷＷページにアクセスしようとした場合、メニューを辿ってそのＷＷＷページをアクセスできることは希であり、記事に記載されいるそのＷＷＷページのＵＲＬをキー入力しなければならない。
【０００４】
このような問題を解決する方法として、書籍にＷＷＷページのＵＲＬを表わすバーコードを印刷しておいて、バーコードリーダを携帯電話に接続し、バーコードリーダにより印刷してあるバーコードを読み取り、携帯電話でバーコードをＵＲＬに変換するものが登場してきている。しかしながら、係る方法を用いた場合には、書籍の体裁がバーコードにより損なわれる。また、他の用途に用いられる可能性の少ないバーコードリーダをユーザは購入しなければならなくなり、不経済である。
【０００５】
そこで、本出願人は、ＵＲＬを電子透かしの形態で画像に埋め込み、カメラ付き携帯電話でその画像を読み込んでサーバに送信し、サーバでその画像から電子透かしを検出してからＵＲＬを求め、そのＵＲＬをカメラ付き携帯電話に送信する方法を提案した（特許文献１）。
【０００６】
【特許文献１】
特開２００２−２５９２４９公報
【特許文献２】
特開平９−１９１３９４号公報
【０００７】
【発明が解決しようとする課題】
しかしながら、カメラ付き携帯電話のカメラの画素数は３０万程度であり、このようなカメラが撮影した画像から電子透かしを検出できるようにするためには、電子透かしがある程度目立つように電子透かしを画像に挿入しなければならず、画像を品質が少なからず悪化する。
【０００８】
そこで、本発明は、画像の品質を悪化させることなく、カメラで読み込んだ画像を基にＵＲＬ等の付加情報を携帯電話等の携帯端末が得られるような電子透かし検出方法及びそのシステム、付加情報提供法及びそのシステム、サーバ並びにプログラムを提供することを目的とする。
【０００９】
【課題を解決するための手段】
本発明の第１の観点によれば、原画像に電子透かしを挿入して電子透かし入り画像を生成する電子透かし挿入手段と、前記原画像を印刷する印刷手段と、印刷された前記原画像を撮影する撮影手段と、撮影された前記原画像を送信する送信手段と、前記送信手段により送信された前記原画像を受信する受信手段と、前記電子透かし入り画像と前記受信手段により受信された前記原画像を基に、前記電子透かし入り画像に挿入されている前記電子透かしを検出する電子透かし検出手段と、を備えることを特徴とする電子透かし検出システムが提供される。
【００１０】
本発明の第２の観点によれば、原画像に電子透かしを挿入して電子透かし入り画像を生成する電子透かし挿入手段と、前記原画像に基準信号を挿入して基準信号入り画像を生成する基準信号挿入手段と、前記基準信号入り画像を印刷する印刷手段と、印刷された前記基準信号入り画像を撮影する撮影手段と、撮影された前記基準信号入り画像を送信する送信手段と、前記送信手段により送信された前記基準信号入り原画像を受信する受信手段と、前記電子透かし入り画像と前記受信手段により受信された前記基準信号入り画像を基に、前記電子透かし入り画像に挿入されている前記電子透かしを検出する電子透かし検出手段と、を備えることを特徴とする電子透かし検出システムが提供される。
【００１１】
本発明の第３の観点によれば、本発明の第１又は第２の観点による電子透かし検出システム各手段と、前記電子透かし検出手段により検出された電子透かしを付加情報として送信する第２の送信手段とを備えることを特徴とする付加情報提供システムが提供される。
【００１２】
本発明の第４の観点によれば、本発明の第１又は第２の観点による電子透かし検出システムの各手段と、前記電子透かし検出手段により検出された電子透かしに対応する付加情報を送信する第２の送信手段とを備えることを特徴とする付加情報提供システムが提供される。
【００１３】
本発明の第５の観点によれば、複数の電子透かし入り画像を記憶する記憶手段と、携帯端末より送られてきた画像と前記複数の電子透かし入り画像とを基に、前記複数の電子透かし入り画像のうちの前記携帯端末より送られてきた画像に対応する電子透かし入り画像から電子透かしを検出する電子透かし検出手段と、を備えることを特徴とするサーバが提供される。
【００１４】
本発明の第６の観点によれば、複数の電子透かし入り画像を記憶する記憶手段と、携帯端末より送られてきた基準信号入り画像を補正する補正手段と、前記補正手段により補正された画像と前記複数の電子透かし入り画像とを基に、前記複数の電子透かし入り画像のうちの前記携帯端末より送られてきた前記基準信号入り画像に対応する電子透かし入り画像から電子透かしを検出する電子透かし検出手段と、を備えることを特徴とするサーバが提供される。
【００１５】
本発明の第７の観点によれば、複数の電子透かし入り画像と各々が各電子透かし入り画像に対応した複数の識別子を関連付けて記憶する記憶手段と、携帯端末より送られてきた画像と前記携帯端末より送られてきた識別情報に対応する前記電子透かし入り画像とを基に、前記携帯電話より送られてきた識別情報に対応する前記電子透かし入り画像から電子透かしを検出する電子透かし検出手段と、を備えることを特徴とするサーバが提供される。
【００１６】
本発明の第８の観点によれば、複数の電子透かし入り画像と各々が各電子透かし入り画像に対応した複数の識別子を関連付けて記憶する記憶手段と、携帯端末より送られてきた基準信号入り画像を補整する補正手段と、記補正手段により補正された画像と前記携帯端末より送られてきた識別情報に対応する前記電子透かし入り画像とを基に、前記携帯電話より送られてきた識別情報に対応する前記電子透かし入り画像から電子透かしを検出する電子透かし検出手段と、を備えることを特徴とするサーバが提供される。
【００１７】
本発明の第５乃至第８の観点のサーバは、前記電子透かし検出手段により検出された電子透かしを付加情報として送信する送信手段を更に備えていてもよい。
【００１８】
本発明の第５乃至第８の観点によるサーバは、前記電子透かし検出手段により検出された電子透かしに対応する付加情報を送信する送信手段を更に備えていてもよい。
【００１９】
【発明の実施の形態】
以下図面を参照して、本発明の実施形態について詳細に説明する。
【００２０】
なお、本発明においては、原画像とその原画像に電子透かしを挿入したものを基にその電子透かしを検出することができる電子透かし技術を用いる。このような電子透かし技術は、例えば、特許文献２に記載されている。
【００２１】
図１は、本実施形態による電子透かし検出システムの構成を示すブロック図である。
【００２２】
本システムは、電子透かし挿入部１０１、基準信号挿入部１０２、印刷部１０３、記憶部１０５、撮影部１０７、送信部１０９、ネットワーク１１０、受信部１１１、補正部１１２及び電子透かし検出部１１３を備える。
【００２３】
電子透かし挿入部１０１は、原画像１２１に電子透かし（ＷＭ：ｗａｔｅｒｍａｒｋ）１２３を挿入して、電子透かし入り画像１２５を生成する。
【００２４】
基準信号挿入部１０２は、原画像１２１に基準信号１２７を挿入して、基準信号入り画像１２９を生成する。基準信号１２７は、撮影部１０７により撮影された画像の回転角度と拡大縮小率を検出して、これらを補正するために用いるものである。例えば、それらを結ぶと直角三角形を構成するような３つの点より基準信号を構成することができる。
【００２５】
印刷部１０３は、基準信号入り画像１３３を書籍１３１に印刷する。印刷された書籍１３１は流通経路を介して、書店に置かれ、ユーザにより購入される。
【００２６】
記憶部１０５は、ハードディスクドライブ等であり、電子透かし入り画像１２５を記憶する。
【００２７】
撮影部１０７は、ユーザの操作により、雑誌１３１に印刷されている基準信号入り画像１３３を撮影する。このとき、書籍１３１と撮影部１０７との間の相対位置により、基準信号入り画像１３３の回転角度及び拡大縮小率は変化する。
【００２８】
送信部１０９は、撮影部１０７が撮影した基準信号入り画像１３３をインターネット等のネットワークを介して受信部１１１に送信する。なお、撮影部１０７及び送信部１０９は、同一の携帯端末（例えば、携帯電話、ＰＤＡ）に備わっていてもよい。
【００２９】
受信部１１１は、ネットワーク１１０を介して、送信部１０９が送信した基準信号入り画像１３３を受信する。図１の例では、符号１３６で示すように、基準信号入り画像１３６は左に９０度回転していて、縮小されている。
【００３０】
補正部１１２は、画像１３６に含まれている基準信号を基に画像１３６の回転角度及び拡大縮小率を補正して、正規化された画像１３７を出力する。
【００３１】
電子透かし検出部１１３は、電子透かし入り画像１３５（電子透かし入り画像１２５と同一である。）を記憶部１０５から読み出して、電子透かし入り画像１３５と正規化された画像１３７を基に、電子透かし入り画像１３５に挿入されている電子透かし１３９を検出し、出力する。
【００３２】
電子透かし１３９そのものが画像に関連付けられている付加情報を表わすならば、電子透かし１３９を付加情報として、撮影部１０７及び送信部１０９を備える携帯端末に送信する。また、電子透かし１３９と付加情報がデータベースのテーブル等で関連付けられているならば、電子透かし１３９をキーとしてそのテーブルより付加情報を検索し、検索された付加情報を撮影部１０７及び送信部１０９を備える携帯電話に送信する。
【００３３】
付加情報を受信した携帯電話は、付加情報を画面に表示したり、内蔵メモリに記憶したり、付加情報が音声であればスピーカから出力したりする。また、付加情報が画像の印刷されているページに関連付けられているＷＷＷページのＵＲＬである場合には、ユーザが画面に表示されているＵＲＬを選択することにより、そのＷＷＷページにアクセスすることができる。
【００３４】
なお、基準信号１２７は、補正部１１２が画像の回転角度及び拡大縮小率を補正するためのものであるが、電子透かし検出部１１３が回転していて拡大縮小されている画像を用いても電子透かしを検出できるアルゴリズムを用いている場合には、原画像１２１に基準信号１２７を挿入する必要が無く、原画像１２１が直接印刷部１０３に渡される。
【００３５】
【実施例】
次に、本発明の実施例を図面を参照して詳細に説明する。
【００３６】
図２は、本発明の実施例による付加情報提供システムの構成を示すブロック図である。
【００３７】
図２を参照すると、本システムは、携帯端末（例えば、携帯電話、ＰＤＡ）１５１、サーバ１７１を備える。携帯端末１５１は、処理部１５３、カメラ機能部１５５、ユーザインターフェース１５７、送受信部１５９を備える。サーバ１７１は、処理部１７３、登録画像データベース１７５、付加情報データベース１７７、送受信部１７９を備える。
【００３８】
処理部１５３、１７３は、例えば、ＣＰＵとＣＰＵを動作させるためのプログラムを備え、後述する方法を実行する。カメラ機能部１５５は、撮像素子、その周辺回路及びドライバ等を備える。ユーザインターフェース１５７は、キーボード等の入力部及びＬＣＤ等の表示部を備える。送受信部１５９と送受信部１７９は、インターネット等のネットワークを介して相互に通信を行う。登録画像データベース１７５は、電子透かし入り画像を複数格納する。また、登録画像データベース１７５は、実施例によっては、電子透かし画像及びこれの識別子の組を複数格納する。付加情報データベース１７７は、電子透かしと付加情報の組を複数格納する。
【００３９】
次に、図２の構成における各実施例の動作について説明する。
【００４０】
［実施例１］
図３を参照すると、まず、携帯端末利用者は、処理部１５３のアプリケーションを起動する（ステップＳ２０１）。このアプリケーションは、携帯端末に予め備わっているか、又は、ユーザがサーバよりダウンロードしたものである。次に、処理部１５３は、撮影画像選択画面を表示する（ステップＳ２０３）。この画面は、最初は、書店名を選択するもの、その次は、雑誌名を選択するもの、その次は、発行年月日を選択するもの、その次は、ページを選択するもの、その次は、そのページのうちの掲載されている画像を選択するものというように、ユーザの選択に応じて順次変化し、最終的には、特定の画像を選択するために用いられる。このようにして、利用者は、撮影画像を指定する（ステップＳ２０５）。すると、処理部１５３は、撮影画像の個別ＩＤを確定し、（ステップＳ２０７）、撮影ボタンを表示する（ステップＳ２０９）。
【００４１】
次に、利用者が撮影ボタンを押すと（ステップＳ２１１）、カメラ機能部１０５はカメラを起動する（ステップＳ２１３）。次に、利用者が撮影ボタンを押すと（ステップＳ２１５）、カメラ機能部１０５は、撮影を行い（ステップＳ２１７）、撮影した画像を処理部１５３に渡す（ステップＳ２１９）。ここでの撮影画像は、電子透かしが挿入されていない画像である。
【００４２】
次に、処理部１５３は、送信ボタンを表示する（ステップＳ２２１）。利用者が送信ボタンを押すと（ステップＳ２２３）、処理部１５３は、送受信部１５９を介して、個別ＩＤ及び撮影画像を送信する（ステップＳ２２５）。すると、処理部１７３は、送受信部１７９を介して、個別ＩＤ及び撮影画像を受信する（ステップＳ２２７）。
【００４３】
次に、図４を参照すると、処理部１７３は、受信した個別ＩＤに対応する電子透かし入り登録画像を登録画像データベース１７５から検索し（ステップＳ２２９、Ｓ２３１）、受信した撮影画像及び検索した電子透かし入り登録画像を基に、その電子透かし入り登録画像に埋め込まれている電子透かしを検出する（ステップＳ２２３）。この際、受信した撮影画像に基準信号が埋め込まれていれば、その基準信号を用いて撮影画像の回転角度及び拡大縮小率を補正してもよい。
【００４４】
次に、処理部１７３は、検出した電子透かしに対応した付加情報を付加情報データベース１７７から検索し（ステップＳ２３５、Ｓ２３７）、検索した付加情報を、送受信部１７９を介して、送信する（ステップＳ２３９）。すると、処理部１５３は、送受信部１５９を介して、付加情報を受信し（ステップＳ２４１）、出力する（ステップＳ２４３）。すると、利用者は、付加情報を確認する（ステップＳ２４５）。
【００４５】
［実施例２］
実施例１では、検出した電子透かしに対応した付加情報を付加情報データベース１７７から検索することとしたが、実施例２では、電子透かしそのものが付加情報である。従って、付加情報データベース１７７は不要である。
【００４６】
実施例２の方法は、図３及び図５に示す通りとなる。図３の各ステップの説明は既に説明したので省略する。図５に示す方法が図４に示す方法と異なるのは、ステップＳ２３５、Ｓ２３７が削除され、ステップＳ２３９がステップＳ２５１に置き換わった点のみである。ステップ２５１では、ステップＳ２３３で検出された電子透かしを付加情報として送信する。図５の他のステップの説明は既にしたので省略する。
【００４７】
［実施例３］
実施例１では、各画像毎に個別ＩＤを対応付けて、個別ＩＤにより１つの登録画像を指定することとした。これに対し、実施例３では、複数の画像毎にグループＩＤを対応付けて、グループＩＤにより複数の画像を指定することとする。こうすることにより、ユーザが撮影画像選択画面で行う処理数を減らせることができる。例えば、グループは１つの雑誌に掲載されている全ての画像とする。撮影画像と登録画像の対応が取れていなければ、有意な電子透かしを検出することができない。従って、グループＩＤに対応付けられた全ての登録画像と撮影画像との間で電子透かしの検出を試みて、それらの登録画像のうちのある登録画像と撮影画像との間で有意な電子透かしが検出できたときに、その電子透かしを撮影画像に対応する電子透かしとする。
【００４８】
実施例３の方法は、図６及び図７に示す通りである。以下、図３及び図４と図６及び図７の相違点のみについて説明する。
【００４９】
図６を参照すると、ステップＳ２６１では撮影グループを指定する。ここでいう撮影グループとは、例えば、特定の雑誌に掲載されている全ての画像である。ステップＳ２６３では、個別ＩＤではなく、グループＩＤを確定する。ステップＳ２６５では、個別ＩＤ及び撮影画像ではなく、グループＩＤ及び撮影画像を送信する。ステップＳ２６７では、個別ＩＤ及び撮影画像ではなく、グループＩＤ及び撮影画像を受信する。
【００５０】
図７を参照すると、ステップＳ２６９では、グループ内の全ての登録画像についてステップＳ２３１、Ｓ２３３、Ｓ２７１を繰り返す。ステップＳ２７１では、ステップＳ２３３で有意な電子透かしが検出できていたかどうかを判断し、そうであれば、その電子透かしを確定電子透かしとして、ステップＳ２６９の繰り返しを抜ける。
【００５１】
［実施例４］
実施例４は、実施例３を基本として、実施例１から実施例２への変更点を実施例３に対して加えたものである。すなわち、実施例４では、電子透かしの検出を撮影画像とグループ内の全ての登録画像の間で試みて、電子透かしそのものが付加情報である。
【００５２】
実施例４の方法は、図６及び図８に示す通りである。図６の説明は既にしたので省略する。図８の図７からの変更点のみを説明する。
【００５３】
検出した電子透かしに対応した付加情報の付加情報データベース１７７からの検索（ステップＳ２３５、Ｓ２３７）は行わずに、ステップＳ２３９の代わりのステップＳ２８１では、処理部１７３が、検出された有意な電子透かしを付加情報として、送受信部１７９を介して、送信する。
【００５４】
［実施例５］
実施例１では、各画像毎に個別ＩＤを対応付けて、個別ＩＤにより１つの登録画像を指定することとした。これに対し、実施例５では、対象とする書籍を、例えば、ある出版社が１月前から現在までに発行した書籍に予め絞っておいて、それらの書籍に含まれる全ての画像を登録画像とする。こうすることにより、ユーザが撮影画像を選択するための処理を行わなくて済むようになる。撮影画像と登録画像の対応が取れていなければ、有意な電子透かしを検出することができない。従って、対象とする書籍の全ての登録画像と撮影画像との間で電子透かしの検出を試みて、それらの登録画像のうちのある登録画像と撮影画像との間で有意な電子透かしが検出できたときに、その電子透かしを撮影画像に対応する電子透かしとする。
【００５５】
実施例５の方法は、図９及び１０に示すとおりである。図３と図９の相違点及び図４と図１０の相違点のみについて説明する。
【００５６】
図９を参照すると、ＩＤを指定する必要がないので、ステップＳ２０３、Ｓ２０５は省略される。ステップＳ２９１では、撮影画像のみを送信し、ステップＳ２９３では撮影画像のみを受信する。
【００５７】
図１０を参照すると、ステップＳ２９５では、対象書籍の全ての登録画像についてステップＳ２３１、Ｓ２３３、Ｓ２７１を繰り返す。ステップＳ２７１では、ステップＳ２３３で有意な電子透かしが検出できていたかどうかを判断し、そうであれば、その電子透かしを確定電子透かしとして、ステップＳ２６９の繰り返しを抜ける。
【００５８】
［実施例６］
実施例６は、実施例５を基本として、実施例１から実施例２への変更点を実施例５に対して加えたものである。すなわち、実施例６では、電子透かしの検出を撮影画像と対象書籍の全ての登録画像の間で行い、電子透かしそのものが付加情報である。
【００５９】
実施例６の方法は、図９及び図１１に示す通りである。図９の説明は既にしたので省略する。図１１の図１０からの変更点のみを説明する。
【００６０】
検出した電子透かしに対応した付加情報の付加情報データベース１７７からの検索（ステップＳ２３５、Ｓ２３７）は行わずに、ステップＳ２３９の代わりのステップＳ２８１では、処理部１７３が、検出された有意な電子透かしを付加情報として、送受信部１７９を介して、送信する。
【００６１】
［実施例７］
チケットやクーポン券の画像に電子透かしを挿入して、登録画像データベース１７５に登録しておくことにより、チケットやクーポン券についての付加情報を提供することが可能となる。
【００６２】
また、観光地図は、観光名所の設置された案内板の画像に電子透かしを挿入して、登録画像データベース１７５に登録しておくことにより、観光情報を付加情報として提供することが可能となる。
【００６３】
更に、絵画、壁画、キャラクターグッズ等の画像に電子透かしを挿入して、登録画像データベース１７５に貴くしておくことにより、絵画、壁画の案内情報、キャラクタの説明等を付加情報として提供することが可能となる。
【００６４】
【発明の効果】
以上説明したように、本発明によれば、撮影部で撮影する画像に電子透かしを挿入する必要がないので、書籍等に掲載する画像の品質を損なわずに済む。
【００６５】
また、書籍等に掲載する画像を電子透かし入りのものにする必要がないので、バックナンバーに対しても付加情報を付加することができる。
【００６６】
更に、電子透かしを挿入することが不可能な風景等の自然物についても、運営者がそれらの風景等を撮影し、撮影した風景に電子透かしを挿入することにより、風景等についての付加情報を提供することが可能となる。
【図面の簡単な説明】
【図１】本発明の実施形態による電子透かし検出システムの構成を示すブロック図である。
【図２】本発明の実施例による電子透かし検出システムの構成を示すブロック図である。
【図３】本発明の実施例１、２の動作を示す第１のフローチャートである。
【図４】本発明の実施例１の動作を示す第２のフローチャートである。
【図５】本発明の実施例２の動作を示す第２のフローチャートである。
【図６】本発明の実施例３、４の動作を示す第１のフローチャートである。
【図７】本発明の実施例３の動作を示す第２のフローチャートである。
【図８】本発明の実施例４の動作を示す第２のフローチャートである。
【図９】本発明の実施例５、６の動作を示す第１のフローチャートである。
【図１０】本発明の実施例５の動作を示す第２のフローチャートである。
【図１１】本発明の実施例６の動作を示す第２のフローチャートである。
【符号の説明】
１０１  電子透かし挿入部
１０２  基準信号挿入部
１０３  印刷部
１０５  記憶部
１０７  撮影部
１０９  送信部
１１１  受信部
１１２  補正部
１１３  電子透かし検出部
１５１  携帯端末
１５３  処理部
１５５  カメラ部
１５７  ユーザインターフェース
１７１  サーバ
１７３  処理部
１７５  登録画像データベース
１７７  付加情報データベース
１７９  送受信部
【図１】
2004274239.tif 000003
【図２】
2004274239.tif 000004
【図３】
2004274239.tif 000005
【図４】
2004274239.tif 000006
【図５】
2004274239.tif 000007
【図６】
2004274239.tif 000008
【図７】
2004274239.tif 000009
【図８】
2004274239.tif 000010
【図９】
2004274239.tif 000011
【図１０】
2004274239.tif 000012
【図１１】
2004274239.tif 000013